(57)【特許請求の範囲】
【請求項１】
複数の画像が順次表示されるスライドショーの形式のコンテンツを変更するため、前記スライドショーを再生する再生ボタンと、前記スライドショーの再生を一時停止する一時停止ボタンを有する制御画面を生成する生成部と、
前記制御画面を表示する表示部と、
前記制御画面を用いて前記コンテンツの編集を行う編集部と、を備え、
前記コンテンツは、複数の構成要素を含むグループが定義され、
前記生成部は、前記制御画面に前記グループのグループ枠を生成し、前記一時停止ボタンが押下されて、前記編集部により前記グループ枠が選択されるとき複数の前記構成要素を変更するように、前記制御画面を生成する、
入力装置。
【請求項２】
前記コンテンツは、複数の前記構成要素が前記グループを識別する第１のタグ属性が記述されており、
前記生成部は、前記第１のタグ属性が記述された複数の前記構成要素を変更するように、前記制御画面を生成する、
請求項１に記載の入力装置。
【請求項３】
前記コンテンツは、複数の前記構成要素が編集可能である第２のタグ属性が記述されており、
前記生成部は、前記第２のタグ属性が記述された複数の前記構成要素を変更するように、前記制御画面を生成する、
請求項１に記載の入力装置。
【請求項４】
前記生成部は、前記グループに属する複数の前記構成要素を更新するための更新領域を前記制御画面に含む、
請求項１記載の入力装置。
【請求項５】
前記生成部は、前記編集部により前記制御画面の前記グループ枠が選択されると、前記グループ枠の選択を強調するように前記制御画面を生成する、
請求項１記載の入力装置。
【請求項６】
前記生成部は、前記グループ枠が重なる場合、重なる面積に応じて前記制御画面の前記グループ枠の配置順を決定する、
請求項５記載の入力装置。
【請求項７】
ユーザＩＤ又は端末ＩＤからなる識別情報を入力する入力部をさらに備え、
前記コンテンツは、前記識別情報に基づいて複数の前記構成要素のうち更新可能な構成要素が設定され、
前記生成部は、前記識別情報に基づいて前記制御画面を生成する、
請求項１記載の入力装置。
【請求項８】
前記コンテンツを管理するサーバと、
前記コンテンツを表示する表示装置とネットワークを介して接続されている、
請求項１記載の入力装置。
【請求項９】
複数の画像が順次表示されるスライドショー形式のコンテンツを変更するため、前記スライドショーを再生する再生ボタンと、前記スライドショーを一時停止する一時停止ボタンを有する制御画面を生成する生成ステップと、
前記制御画面を表示する表示ステップと、
前記制御画面を用いて前記コンテンツの編集を行う編集ステップと、を備え、
前記コンテンツは、複数の構成要素を含むグループが定義され、
前記生成ステップは、前記制御画面に前記グループのグループ枠を生成し、前記一時停止ボタンが押下されて、前記編集ステップにより前記グループ枠が選択されるとき複数の前記構成要素を変更するように、前記制御画面を生成する、
入力プログラム。
【請求項１０】
複数の画像が順次表示されるスライドショー形式のコンテンツを変更するため、前記スライドショーを再生する再生ボタンと、前記スライドショーを一時停止する一時停止ボタンを有する制御画面を生成する生成ステップと、
前記制御画面を表示する表示ステップと、
前記制御画面を用いて前記コンテンツの編集を行う編集ステップと、を備え、
前記コンテンツは、複数の構成要素を含むグループが定義され、
前記生成ステップは、前記制御画面に前記グループのグループ枠を生成し、前記一時停止ボタンが押下されて、前記編集ステップにより前記グループ枠が選択されるとき複数の前記構成要素を変更するように、前記制御画面を生成する、
入力方法。
【発明の詳細な説明】
【技術分野】
【０００１】
本開示は、表示装置に表示される広告情報を更新する、入力装置、サーバ、入力プログラム及び入力方法に関する。
【背景技術】
【０００２】
近年、表示装置の価格低下に伴い、デジタルサイネージ（以下、サイネージ）の利用が普及している。サイネージは、表示内容を手軽に変更できる。
【０００３】
特許文献１には、テンプレートコードごとにグループ化されたオリジナルコンテンツファイル群と、差し替え用素材ファイル群と、コンテンツ名別のコンテンツファイル群を記憶し、差し替え用素材ファイル群を用いて、サイネージの内容を変更するサイネージシステムについて開示されている。
【先行技術文献】
【特許文献】
【０００４】
【特許文献１】特開２０１１−１８６５２９号公報
【発明の概要】
【０００５】
本開示は、サイネージコンテンツに含まれる構成要素を商品の内容ごと等のグループにまとめ、更新容易な制御画面を生成する入力装置を提供する。
【０００６】
本開示の入力装置は、複数の画像が順次表示されるスライドショーの形式のコンテンツを変更するため、スライドショーを再生する再生ボタンと、スライドショーの再生を一時停止する一時停止ボタンを有する制御画面を生成する生成部と、制御画面を表示する表示部と、制御画面を用いてコンテンツの編集を行う編集部と、を備え、コンテンツは、複数の構成要素を含むグループが定義され、生成部は、制御画面にグループのグループ枠を生成し、一時停止ボタンが押下されて、編集部によりグループ枠が選択されるとき複数の構成要素を変更するように、制御画面を生成する。
【０００７】
本開示の入力装置は、サイネージコンテンツに含まれる構成要素を商品の内容ごと等のグループにまとめ、制御画面を生成するので、入力者のサイネージコンテンツ更新が容易になる。
【図面の簡単な説明】
【０００８】
【図１】図１は、実施の形態１におけるサイネージシステムのブロック図である。
【図２】図２は、実施の形態１におけるサイネージコンテンツの一例を示す図である。
【図３】図３は、実施の形態１におけるサイネージコンテンツのテンプレートの一例を示す図である。
【図４】図４は、図３のテンプレートとサイネージコンテンツの関係を示す図である。
【図５】図５は、図２のサイネージコンテンツにおける構成要素のグループ化を説明する図である。
【図６】図６は、図５のサイネージコンテンツの記述例を示す図である。
【図７】図７は、実施の形態１におけるサイネージシステムの詳細なブロック図である。
【図８】図８は、実施の形態１における入力装置の表示部に表示される図２のサイネージコンテンツに対する制御画面の一例を示す図である。
【図９】図９は、図８の制御画面のサイネージコンテンツ領域に表示されるグループ枠を説明する図である。
【図１０】図１０は、図８の制御画面のサイネージコンテンツ領域において、グループ枠内を押下した場合の制御画面を示す図である。
【図１１】図１１は、図１０の制御画面のグループ枠の内容を変更し、プレビューした場合の制御画面を示す図である。
【図１２】図１２は、実施の形態１の入力装置におけるサイネージコンテンツを更新するフローチャートである。
【図１３】図１３は、図１２におけるＳ１２０１の詳細なフローチャートである。
【図１４】図１４は、図１２におけるＳ１２０２の詳細なフローチャートである。
【図１５】図１５は、図１２におけるＳ１２０３の詳細なフローチャートである。
【図１６】図１６は、図１２におけるＳ１２０４の詳細なフローチャートである。
【図１７】図１７は、実施の形態１のサーバのサイネージコンテンツを更新するフローチャートである。
【図１８】図１８は、実施の形態１におけるサイネージコンテンツの別の一例を示す図である。
【図１９】図１９は、実施の形態１におけるサイネージコンテンツのテンプレートの別の一例を示す図である。
【図２０】図２０は、図１８のサイネージコンテンツにおける構成要素のグループ化を説明する図である。
【図２１】図２１は、実施の形態１における入力装置の表示部に表示される図１８のサイネージコンテンツに対する制御画面の一例を示す図である。
【図２２】図２２は、図２１の制御画面のサイネージコンテンツ表示領域において、グループ枠内を押下した場合の制御画面を示す図である。
【図２３】図２３は、図２２の制御画面のテキスト更新領域の次へボタンと画像更新領域の次へボタンを押下した時の制御画面を示す図である。
【図２４Ａ】図２４Ａは、サイネージコンテンツにおける複数のグループ枠の一例を示す図である。
【図２４Ｂ】図２４Ｂは、図２４Ａの複数のグループ枠の制御画面上の位置の一例を示す図である。
【図２４Ｃ】図２４Ｃは、図２４Ｂの複数のグループ枠の重なり箇所におけるグループ枠の選択を説明する図である。
【図２５Ａ】図２５Ａは、サイネージコンテンツにおける複数のグループ枠の別の一例を示す図である。
【図２５Ｂ】図２５Ｂは、図２５Ａの複数のグループ枠の制御画面上の位置の一例を示す図である。
【図２５Ｃ】図２５Ｃは、図２５Ｂの複数のグループ枠の重なり箇所におけるグループ枠の選択を説明する図である。
【図２６】図２６は、実施の形態１におけるサイネージコンテンツのさらに別の一例を示す図である。
【図２７】図２７は、実施の形態１におけるサイネージコンテンツのテンプレートのさらに別の一例を示す図である。
【図２８】図２８は、図２６のサイネージコンテンツのグループを説明する図である。
【図２９】図２９は、実施の形態１における入力装置の表示部に表示される図２６のサイネージコンテンツに対する制御画面の一例を示す図である。
【図３０】図３０は、図２９の制御画面のサイネージコンテンツ表示領域の再生を開始後、一時停止する場合の制御画面を示す図である。
【図３１】図３１は、図３０の制御画面のサイネージコンテンツ表示領域において、グループ枠内を押下した場合の制御画面を示す図である。
【図３２】図３２は、図３１の制御画面のサイネージコンテンツ表示領域の再生再開後、サイネージコンテンツを更新する場合の制御画面を示す図である。
【図３３】図３３は、実施の形態２におけるサイネージシステムの詳細なブロック図である。
【図３４】図３４は、実施の形態２における入力装置の表示部に表示される図１８のサイネージコンテンツに対する制御画面の一例を示す図である。
【図３５】図３５は、実施の形態２における入力装置の表示部に表示される図１８のサイネージコンテンツに対する制御画面の別の一例を示す図である。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、添付図面および以下の説明は、当業者が本開示を十分に理解するために、提供されるのであって、これらにより特許請求の範囲に記載の主題を限定することは意図されていない。
【００１１】
以下、本開示の実施の形態について、図面を参照しながら説明する。
【００１２】
（実施の形態１）
［１―１．サイネージシステムの概要］
図１は、本実施の形態におけるサイネージシステムのブロック図である。
【００１３】
サイネージシステム１００は、表示装置１１０と入力装置１２０とサーバ１３０で構成される。表示装置１１０は、サイネージコンテンツを表示する。入力装置１２０は、サイネージコンテンツの更新内容を入力する。サーバ１３０は、サイネージコンテンツを管理する。表示装置１１０とサーバ１３０、入力装置１２０とサーバ１３０は、それぞれネットワークを介して接続されている。表示装置１１０とサーバ１３０の通信及び入力装置１２０とサーバ１３０の通信は、セキュアな通信方式を採用することにより、成りすまし等を防ぐようにしてもよい。さらに、入力装置１２０とサーバ１３０の通信は、入力装置１２０を識別する端末ＩＤ（ＩＤｅｎｔｉｆｉｃａｔｉｏｎ）や、従業員等の入力者を識別する入力者ＩＤを用いて認証してもよい。
【００１４】
表示装置１１０は、例えば、店頭に設置される６０インチ以上の大型のディスプレイである。入力装置１２０は、例えば、表示装置１１０が設置されている店舗の従業員等が操作するＰＣ（Ｐｅｒｓｏｎａｌ  Ｃｏｍｐｕｔｅｒ）やスマートフォンである。
【００１５】
サーバ１３０は、サイネージコンテンツを記憶している。サーバ１３０は、入力装置１２０から該当するサイネージコンテンツの更新要求を受け付けると、入力装置１２０へ、該当するサイネージコンテンツを送信する。サーバ１３０は、入力装置１２０から更新内容を受信すると、記憶している該当のサイネージコンテンツを更新するとともに、入力装置１２０へ更新したサイネージコンテンツを送信する。また、サーバ１３０は、表示装置１１０から該当するサイネージコンテンツの表示要求を受け付けると、表示装置１１０へ、サイネージコンテンツを送信する。
【００１６】
入力装置１２０は、サーバ１３０へサイネージコンテンツの更新要求を送信する。そして、入力装置１２０は、更新要求したサイネージコンテンツをサーバ１３０から受信する。入力装置１２０は、受信したサイネージコンテンツに基づいて制御画面を生成し、表示する。入力装置１２０は、表示された制御画面から、サイネージコンテンツを編集し、編集により更新した内容をサーバ１３０へ送信する。
【００１７】
表示装置１１０は、サーバ１３０へサイネージコンテンツの表示要求を送信する。表示装置１１０は、表示要求したサイネージコンテンツをサーバ１３０から受信し、表示する。
【００１８】
［１―２．サイネージコンテンツ（１）］
次に、サイネージコンテンツについて詳細に説明する。図２は、実施の形態１におけるサイネージコンテンツの一例を示す図である。図２に示すように、サイネージコンテンツ２００は宝飾店向けのサイネージコンテンツであり、背景として星やクリスマスツリーがデザインされる。左上には「☆歳末セール☆」の表示がある。そして中央に、宝飾品の画像と商品名と価格の組が４組表示されている。サイネージコンテンツ２００は、予め用意されたテンプレートに基づいて生成されている。
【００１９】
図３は、実施の形態１におけるテンプレートの一例を示す図である。図３において、テンプレート３００は、構成要素として、背景３０１、タイトル３０２、画像３０３、テキスト３０４を含んでいる。各構成要素は、表示装置１１０に表示する時の表示領域やデータ形式等を定義している。背景３０１には、背景のデザインを配置できる。タイトル３０２には、「歳末セール」や「本日のおススメ」等のサイネージのタイトル及びタイトルのデザインを配置できる。画像３０３には商品の画像データを配置できる。テキスト３０４には、商品名や価格を配置できる。
【００２０】
図４は、図３のテンプレート３００とサイネージコンテンツの関係を示す図である。図４に示すように、サーバ１３０は、テンプレート３００を用いて、図３で説明した宝飾店向けのサイネージコンテンツ２００を生成する。サーバ１３０は、さらに、テンプレート３００を用いて、アパレル店向けのサイネージコンテンツ２１０や電器店向けサイネージコンテンツ２２０を生成してもよい。
【００２１】
サイネージコンテンツ２００は、含まれる構成要素がグループ化されている。図５は、図２の宝飾店向けのサイネージコンテンツ２００における構成要素のグループ化を説明する図である。図５に示すように、図２のテンプレート３００における画像３０３とテキスト３０４を、それぞれ商品単位でグルーピングしている。具体的には、サイネージコンテンツ２００は、グループ２０１、２０２、２０３、２０４を含んでいる。グループ２０１は、画像２０１ａとテキスト２０１ｂを含み、グループ番号（ｇｒｏｕｐｎｏ）は１である。グループ２０２は、画像２０２ａとテキスト２０２ｂを含み、グループ番号は２である。グループ２０３は、画像２０３ａとテキスト２０３ｂを含み、グループ番号は３である。グループ２０４は、画像２０４ａとテキスト２０４ｂを含み、グループ番号は４である。グループ２０１、２０２、２０３、２０４は、サイネージコンテンツ２００の内容を更新する単位である。例えば、グループ２０２の商品を変更したい場合、画像２０２ａとテキスト２０２ｂをまとめて更新できるようにグルーピングされている。
【００２２】
図６は、図５のサイネージコンテンツ２００の記録形式の記述例を示す図である。サイネージコンテンツ２００は、例えば、ＨＴＭＬ（Ｈｙｐｅｒ  Ｔｅｘｔ  Ｍａｒｋｕｐ  Ｌａｎｇｕａｇｅ）フォーマットやＸＭＬ（Ｅｘｔｅｎｓｉｂｌｅ  Ｍａｒｋｕｐ  Ｌａｎｇｕａｇｅ）フォーマットで記述されている。図６において、グループ２０２の記述部分をファイル６００に示している。画像２０２ａとテキスト２０２ｂの基本的な記載に加えて、画像２０２ａのタグ属性の記述として、「ｇｒｏｕｐｎｏ＝２」、「ｅｄｉｔａｂｌｅｉｍａｇｅ」が追加されて記載されており、テキスト２０２ｂのタグ属性の記述として、「ｇｒｏｕｐｎｏ＝２」、「ｅｄｉｔａｂｌｅｔｅｘｔ」が追加されて記載されている。これにより、画像２０２ａとテキスト２０２ｂが同じグループに属しており、グループを識別するためのグループ番号が２であることを示している。さらに、「ｅｄｉｔａｂｌｅｉｍａｇｅ」、「ｅｄｉｔａｂｌｅｔｅｘｔ」は、これらの部品が更新可能であることを示している。
【００２３】
［１―３．サイネージシステムの構成］
次に、サイネージシステムの構成について詳細に説明する。図７は、実施の形態１におけるサイネージシステム１００の詳細なブロック図である。
【００２４】
表示装置１１０は、表示部１１１と入力部１１２と通信部１１３を含む。入力装置１２０は、表示部１２１と編集部１２２と入力部１２３と生成部１２４と通信部１２５を含む。サーバ１３０は、通信部１３１と記憶部１３２と更新部１３３と選択部１３４を含む。
【００２５】
表示装置１１０において、入力部１１２からサイネージコンテンツの表示要求を入力する。入力部１１２は、この表示要求を通信部１１３に通知する。表示要求を受けた通信部１１３は、サーバ１３０の通信部１３１へ表示要求を送信する。通信部１１３は、サーバ１３０の通信部１３１から表示要求したサイネージコンテンツを受信すると、受信したサイネージコンテンツを表示部１１１へ通知する。サイネージコンテンツを受けた表示部１１１は、サイネージコンテンツを表示する。
【００２６】
表示部１１１は、例えば、液晶ディスプレイ（ＬＣＤ：Ｌｉｑｕｉｄ  Ｃｒｙｓｔａｌ  Ｄｉｓｐｌａｙ）等のディスプレイと、所定の処理を実行するプロセッサにより実現される。入力部１１２は、例えば、タッチパネルやキーボードやマウス、ジョイスティック、タッチパッド等のポインティングデバイ等の入力装置と、所定の処理を実行するプロセッサにより実現される。通信部１１３は、無線或いは有線の通信装置と、所定の処理を実行するプロセッサにより実現される。
【００２７】
入力装置１２０において、入力部１２３からサイネージコンテンツの更新要求を入力する。入力部１２３は、この更新要求を通信部１２５に通知する。更新要求を受けた通信部１２５は、サーバ１３０の通信部１３１へ更新要求を送信する。通信部１２５は、サーバ１３０の通信部１３１から更新要求したサイネージコンテンツを受信すると、受信したサイネージコンテンツを生成部１２４へ通知する。サイネージコンテンツを受けた生成部１２４は、サイネージコンテンツに基づいて制御画面を生成し、生成した制御画面を表示部１２１へ通知する。表示部１２１は、通知された制御画面を表示する。入力装置１２０の入力者は、編集部１２２により、表示部１２１に表示された制御画面を用いてサイネージコンテンツの更新したい内容に対して編集を行う。このとき、編集部１２２は、編集により更新する内容を通信部１２５へ通知する。更新内容を通知された通信部１２５は、サーバ１３０の通信部１３１へ更新内容を送信する。通信部１２５は、サーバ１３０の通信部１３１から更新されたサイネージコンテンツを受信すると、この更新されたサイネージコンテンツを生成部１２４へ通知する。サイネージコンテンツを受けた生成部１２４は、サイネージコンテンツに基づいて制御画面を生成し、生成した制御画面を表示部１２１へ通知する。表示部１２１は、通知された制御画面を表示する。
【００２８】
表示部１２１は、例えば、液晶ディスプレイ等のディスプレイと、所定の処理を実行するプロセッサにより実現される。編集部１２２は、例えば、タッチパネルやキーボードやマウス、ジョイスティック、タッチパッド等のポインティングデバイ等の入力装置と、所定の処理を実行するプロセッサにより実現される。入力部１２３は、例えば、タッチパネルやキーボードやマウス、ジョイスティック、タッチパッド等のポインティングデバイ等の入力装置と、所定の処理を実行するプロセッサにより実現される。生成部１２４は、所定の処理を実行するプロセッサにより実現される。通信部１２５は、無線或いは有線の通信装置と、所定の処理を実行するプロセッサにより実現される。
【００２９】
サーバ１３０において、記憶部１３２にはサイネージコンテンツが記憶されている。通信部１３１は、表示装置１１０の通信部１１３から表示要求を受信すると、選択部１３４へ表示要求を通知する。表示要求を受け取った選択部１３４は、記憶部１３２から表示要求に該当するサイネージコンテンツを取り出し、通信部１３１へ取り出したサイネージコンテンツを通知する。通信部１３１は、表示装置１１０の通信部１１３へ取り出したサイネージコンテンツを送信する。
【００３０】
また、通信部１３１は、入力装置１２０の通信部１２５から更新要求を受信すると、更新要求を選択部１３４へ通知する。選択部１３４は、記憶部１３２から更新要求に該当するサイネージコンテンツを取り出し、該当するサイネージコンテンツを通信部１３１へ通知する。通信部１３１は、入力装置１２０の通信部１２５へ取り出したサイネージコンテンツを送信する。さらに、通信部１３１は、入力装置１２０の通信部１２５から更新内容を受信すると、更新部１３３へ更新内容を通知する。更新内容を受け取った更新部１３３は、更新要求に該当するサイネージコンテンツを更新し、記憶部１３２に更新したサイネージコンテンツを記憶する。そして更新部１３３は、更新したサイネージコンテンツを通信部１３１へ通知する。通信部１３１は、入力装置１２０の通信部１２５へ更新したサイネージコンテンツを送信する。
【００３１】
通信部１３１は、無線或いは有線の通信装置と、所定の処理を実行するプロセッサにより実現される。記憶部１３２は、光学的読み取り式或いは磁気的読み取り式による記憶媒体により実現される。更新部１３３及び選択部１３４は、所定の処理を実行するプロセッサにより実現される。
【００３２】
なお、表示装置１１０において、表示部１１１へのサイネージコンテンツの表示の開始は、表示装置１１０の入力部１１２からの表示要求によって実施すると説明したが、これに限らない。サーバ１３０の記憶部１３２にサイネージコンテンツの再生スケジュール情報を格納しておき、スケジュールに基づいて自動的に記憶部１３２からサイネージコンテンツを取り出し、表示装置１１０に送信して表示部１１１へのサイネージコンテンツの表示を開始してもよい。
【００３３】
［１―４．サイネージコンテンツの更新］
次に、入力装置１２０によるサイネージコンテンツの更新について説明する。図８は、実施の形態１における入力装置１２０の表示部１２１に表示される図２のサイネージコンテンツ２００に対する制御画面の一例を示す図である。
【００３４】
図８は、宝飾店向けのサイネージコンテンツ２００を更新するための制御画面８００を示している。図８において、制御画面８００は、サイネージコンテンツ表示領域８１０とテキスト更新領域８２０と画像更新領域８３０と更新実行領域８４０で構成されている。
【００３５】
サイネージコンテンツ表示領域８１０には、更新する対象のサイネージコンテンツが表示される。図８では図２のサイネージコンテンツ２００が表示されている。サイネージコンテンツ表示領域８１０において、サイネージコンテンツ２００のうち背景の表示を省略して説明する。サイネージコンテンツ表示領域８１０は、サイネージコンテンツ２００で定義されているグループ毎に矩形で破線の枠が表示される。具体的には、グループ番号１に対応するグループ枠８１１、グループ番号２に対応するグループ枠８１２、グループ番号３に対応するグループ枠８１３、グループ番号４に対応するグループ枠８１４が表示される。グループ枠８１１、８１２、８１３、８１４のうちのいずれかを選択すると、選択したグループ枠に対応するグループに属するテキストと画像の編集を行うことができる。テキストの編集はテキスト更新領域８２０で行い、画像の編集は画像更新領域８３０で行う。
【００３６】
テキスト更新領域８２０は、サイネージコンテンツ２００のテキスト２０１ｂ、２０２ｂ、２０３ｂ、２０４ｂの内容を変更するための領域である。テキスト更新領域８２０は、テキスト編集ボックス８２１とプレビューボタン８２２を含んでいる。テキスト編集ボックス８２１は、入力者が変更したいテキストの変更内容を入力するためのウィジェットである。プレビューボタン８２２は、テキスト編集ボックス８２１で入力した内容をサイネージコンテンツ表示領域８１０で確認するためのボタンのウィジェットである。
【００３７】
画像更新領域８３０は、サイネージコンテンツ２００の画像２０１ａ、２０２ａ、２０３ａ、２０４ａの内容を更新するための領域である。画像更新領域８３０は、画像表示欄８３１とファイル選択ボタン８３２とテキストボックス８３３とプレビューボタン８３４を含んでいる。ファイル選択ボタン８３２は、ボタンを押すことでファイルの選択を行うためのウィジェットであり、クリックするとファイル選択ダイアログが表示される。そして、ダイアログから任意のファイルを選択すると、テキストボックス８３３に選択したファイル名が表示される。テキストボックス８３３は、表示させたい画像のデータが保存されている場所を文字入力するか、ファイル選択ボタン８３２をクリックすることで表示させたい画像のデータが保存されている場所を選択する。画像表示欄８３１には、テキストボックス８３３に表示されている画像が表示される。プレビューボタン８３４は、テキストボックス８３３に表示されている画像をサイネージコンテンツ表示領域８１０で確認するためのボタンのウィジェットである。
【００３８】
更新実行領域８４０は、テキスト更新領域８２０と画像更新領域８３０で更新した内容をサーバ１３０へ送信し、サーバ１３０の記憶部１３２に記憶されているサイネージコンテンツ２００を更新するための領域である。更新実行領域８４０は、確定送信ボタン８４１と戻るボタン８４２を含む。確定送信ボタン８４１は、ボタンを押すことで、テキスト更新領域８２０と画像更新領域８３０で更新した内容を通信部１２５へ通知する。戻るボタン８４２は、ボタンを押すことで、制御画面８００へ遷移する前のアプリケーション画面に戻る。
【００３９】
次に、サイネージコンテンツ表示領域８１０におけるグループ枠８１１、８１２、８１３、８１４の表示について説明する。図９は、図８の制御画面８００のサイネージコンテンツ表示領域８１０に表示されるグループ枠を説明する図である。図９において、グループ枠のうち、グループ枠８１２を一例として説明する。グループ枠８１１、８１３、８１４についてもグループ枠８１２と同様である。図９に示すようにグループ枠８１２は、グループ番号が２のグループ２０２であり、画像２０２ａとテキスト２０２ｂを含んでいる。グループ枠８１２は、枠内のいずれかの位置が押下された場合に、グループ枠８１２に対応するグループが選択されたとみなし、グループ枠８１２に属する画像２０２ａとテキスト２０２ｂが更新対象となり、テキスト更新領域８２０と画像更新領域８３０で更新できるように設定される。また、グループ枠８１２は、枠内のいずれかの位置を押下される前と後で枠の色や線が変化するように、例えば、枠の線から破線が点線に変化する。さらに、例えば、枠の色が薄い色から濃い強調色に変化するように設定される。図８において、例えば、グループ枠８１１、８１２、８１３、８１４は、破線で黒色であり、グループ枠を押下されると、実線で赤色に変化するように設定される。
【００４０】
サイネージコンテンツ表示領域８１０におけるグループ枠８１２の表示位置およびサイズは、グループ２０２に属する画像２０２ａとテキスト２０２ｂの表示位置およびサイズに基づいて決定する。図９において具体的には、画像２０２ａとテキスト２０２ｂを含む最小の矩形を示す、左上端の座標Ａ（Ｌｅｆｔ＿ｍｉｎ、Ｔｏｐ＿ｍｉｎ）と右下端の座標Ｂ（Ｌｅｆｔ＿ｍａｘ、Ｔｏｐ＿ｍａｘ）から、上下左右に余白部分を設けて、グループ枠８１２の座標を決定する。
【００４１】
図１０は、図８の制御画面８００のサイネージコンテンツ表示領域８１０において、グループ枠８１２内を押下した場合の制御画面８００を示す図である。図８において、サイネージコンテンツ表示領域８１０において、グループ枠８１２内を押下すると、グループ枠８１２の表示が破線から実線に変化し、黒色から赤色に変化する。さらに、テキスト更新領域８２０のテキスト編集ボックス８２１には、選択されたグループ枠８１２に対応するグループに属するテキスト２０２ｂの「ネックレス」、「￥１５０００」が表示される。画像更新領域８３０の画像表示欄８３１には、選択されたグループ枠８１２に対応するグループに属する画像２０２ａの画像が表示され、テキストボックス８３３には、画像２０２ａが一時的に記憶される場所「・・・／ｃｈａｉｎ．ｊｐｇ」が表示される。
【００４２】
図１１は、図１０の制御画面８００のグループ枠８１２の内容を変更し、プレビューした場合の制御画面８００を示す図である。図１１において、テキスト更新領域８２０のテキスト編集ボックス８２１に、「リング」、「￥８００００」を入力し、プレビューボタン８２２を押下し、サイネージコンテンツ表示領域８１０のグループ枠８１２のテキスト２０２ｂの変更内容が確認できる。また、画像更新領域８３０のテキストボックス８３３に「・・・／ｒｉｎｇ．ｊｐｇ」を入力し、画像表示欄８３１には、「・・・／ｒｉｎｇ．ｊｐｇ」に対応する画像が表示され、プレビューボタン８３４を押下すると、サイネージコンテンツ表示領域８１０のグループ枠８１２の画像２０２ａの変更内容が確認できる。変更した内容でサイネージコンテンツの更新を行う場合、確定送信ボタン８４１を押下する。
【００４３】
図１２は、実施の形態１の入力装置１２０におけるサイネージコンテンツ２００を更新するフローチャートである。
【００４４】
（Ｓ１２０１）入力者は、入力装置１２０の入力部１２３からサイネージコンテンツ２００の更新要求を入力する。入力部１２３は、通信部１２５に更新要求を通知する。更新要求を受けた通信部１２５は、サーバ１３０の通信部１３１へ更新要求を送信する。通信部１２５は、サーバ１３０の通信部１３１から更新要求したサイネージコンテンツ２００を受信すると、生成部１２４へサイネージコンテンツ２００を通知する。サイネージコンテンツ２００を受けた生成部１２４は、サイネージコンテンツ２００に基づいて制御画面８００を生成し、生成した制御画面８００を表示部１２１へ通知する。表示部１２１は、通知された制御画面８００を表示する。
【００４５】
（Ｓ１２０２）入力装置１２０の入力者は、表示部１２１に表示された制御画面８００の内容を確認し、サイネージコンテンツ２００の更新したい内容を編集部１２２から編集する。
【００４６】
（Ｓ１２０３）編集部１２２で編集した内容を、制御画面８００のプレビューボタン８２２またはプレビューボタン８３４を押下することでプレビューする。
【００４７】
（Ｓ１２０４）編集部１２２は、編集指示を行い、更新内容を通信部１２５へ通知する。更新内容を通知された通信部１２５は、サーバ１３０の通信部１３１へサイネージコンテンツ２００の更新内容を送信する。その後、サーバ１３０の通信部１３１から更新されたサイネージコンテンツが通信部１２５へ送信される。通信部１２５は、生成部１２４へ更新されたサイネージコンテンツが通知される。生成部１２４は、更新されたサイネージコンテンツの制御画面を生成し、表示部１２１へ通知する。表示部１２１は通知された制御画面を表示する。
【００４８】
図１３は、図１２におけるＳ１２０１の詳細なフローチャートである。
【００４９】
（Ｓ１３０１）入力者は、入力装置１２０の入力部１２３からサイネージコンテンツ２００の更新要求を入力する。入力部１２３は、通信部１２５に更新要求を通知する。更新要求を受けた通信部１２５は、サーバ１３０の通信部１３１へ更新要求を送信する。通信部１２５は、サーバ１３０の通信部１３１から更新要求したサイネージコンテンツ２００を受信すると、生成部１２４へサイネージコンテンツ２００を通知する。
【００５０】
（Ｓ１３０２）サイネージコンテンツ２００を受けた生成部１２４は、サイネージコンテンツ２００を一時記憶する。
【００５１】
（Ｓ１３０３）生成部１２４は、サイネージコンテンツ２００から更新可能な構成要素を特定する。具体的には、サイネージコンテンツ２００において、画像２０１ａとテキスト２０１ｂが同じグループに属しておりグループ番号１であり、画像２０２ａとテキスト２０２ｂが同じグループに属しておりグループ番号２であり、画像２０３ａとテキスト２０３ｂが同じグループに属しておりグループ番号３であり、画像２０４ａとテキスト２０４ｂが同じグループに属しておりグループ番号４であり、これらの構成要素が更新可能であると特定する。
【００５２】
（Ｓ１３０４）生成部１２４は、更新可能な構成要素の座標値と大きさに基づいて、グループ枠８１１、８１２、８１３、８１４の表示位置とサイズを決定する。
【００５３】
（Ｓ１３０５）生成部１２４は、サイネージコンテンツ２００の背景色の明度が所定値以上かどうかを判定する。背景色の明度は、グループ枠ごとに判定する。背景色の明度は、各グループ枠の矩形を構成する４辺の線分の各中間点において、背景画像のＲＧＢ（Ｒｅｄ−Ｇｒｅｅｎ−Ｂｌｕｅ  ｃｏｌｏｒ  ｍｏｄｅｌ）値を取得し、これらを加算平均して、所定値と比較する。サイネージコンテンツ２００の背景色の明度が所定値より低い場合（Ｎｏの場合）、Ｓ１３０６へ進み、サイネージコンテンツ２００の背景色の明度が所定値以上の場合（Ｙｅｓの場合）、Ｓ１３０７へ進む。
【００５４】
（Ｓ１３０６）サイネージコンテンツ２００の背景色の明度が所定値より低い場合、すなわち、背景色は白みがかっているので、表示するグループ枠を黒色に決定する。
【００５５】
（Ｓ１３０７）サイネージコンテンツ２００の背景色の明度が所定値以下の場合、すなわち、背景色は黒みがかっているので、表示するグループ枠を白色に決定する。
【００５６】
（Ｓ１３０８）表示部１２１は、図８で説明した制御画面８００の表示を行う。
【００５７】
図１４は、図１２におけるＳ１２０２の詳細なフローチャートである。
【００５８】
（Ｓ１４０１）編集部１２２は、入力者によって制御画面８００のサイネージコンテンツ表示領域８１０内のグループ枠が押下されるか否かを判断する。グループ枠が押下された場合（Ｙｅｓの場合）、Ｓ１４０２へ進む。グループ枠が押下されていない場合（Ｎｏの場合）、Ｓ１４０１に戻る。
【００５９】
（Ｓ１４０２）編集部１２２は、押下されたグループ枠のグループ番号を特定する。例えば、図１０で説明したようにグループ枠８１２が押下された場合、画像２０２ａ、テキスト２０２ｂが属するグループのグループ番号は２であると特定する。
【００６０】
（Ｓ１４０３）編集部１２２は、サイネージコンテンツ２００のグループ枠８１２の位置の背景色の明度が所定値以上かどうかを判定する。背景色の明度は、グループ枠８１２の矩形を構成する４辺の線分の各中間点において、背景画像のＲＧＢ（Ｒｅｄ−Ｇｒｅｅｎ−Ｂｌｕｅ  ｃｏｌｏｒ  ｍｏｄｅｌ）値を取得し、これらを加算平均して、所定値と比較する。サイネージコンテンツ２００の背景色の明度が所定値より低い場合（Ｎｏの場合）、Ｓ１４０４へ進み、サイネージコンテンツ２００の背景色の明度が所定値以上の場合（Ｙｅｓの場合）、Ｓ１４０５へ進む。
【００６１】
（Ｓ１４０４）サイネージコンテンツ２００の背景色の明度が所定値より低い場合、すなわち、背景色は白みがかっているので、表示するグループ枠を赤色に決定する。
【００６２】
（Ｓ１４０５）サイネージコンテンツ２００の背景色の明度が所定値以下の場合、すなわち、背景色は黒みがかっているので、表示するグループ枠を黄色に決定する。
【００６３】
（Ｓ１４０６）生成部１２４は、押下されたグループ枠に含まれるテキストの内容を、テキスト編集ボックス８２１に、画像の内容を画像表示欄８３１、テキストボックス８３３に表示されるように、設定し、さらに決定したグループ枠の色を用いて、図１０で説明した制御画面８００を生成する。表示部１２１は、図１０の制御画面８００を表示する。
【００６４】
図１５は、図１２におけるＳ１２０３の詳細なフローチャートである。
【００６５】
（Ｓ１５０１）入力者による、制御画面８００のテキスト更新領域８２０のテキスト編集ボックス８２１の編集がされた後、または、画像更新領域８３０の画像表示欄８３１及びテキストボックス８３３の編集がされた後、入力者によって、プレビューボタン８２２、８３４が押下されたか否かを編集部１２２は判定する。押下された場合（Ｙｅｓの場合）、Ｓ１５０２へ処理を進める。押下されていない場合（Ｎｏの場合）、Ｓ１５０１へ戻る。
【００６６】
（Ｓ１５０２）編集部１２２は、テキスト更新領域８２０のプレビューボタン８２２が押下されたと判断した場合、テキスト編集ボックス８２１の内容を一時保存する。また、編集部１２２は、画像更新領域８３０のプレビューボタン８３４が押下されたと判断した場合、テキストボックス８３３のファイル保存先の画像データを一時保存し、生成部１２４へ通知する。
【００６７】
（Ｓ１５０３）生成部１２４は、テキスト編集ボックス８２１または画像表示欄８３１の更新内容を、図１１で説明した制御画面８００のようにサイネージコンテンツ表示領域８１０に反映し、表示部１２１は、図１１の制御画面８００を表示する。
【００６８】
図１６は、図１２におけるＳ１２０４の詳細なフローチャートである。
【００６９】
（Ｓ１６０１）入力者による更新実行領域８４０の確定送信ボタン８４１が押下されたか否かを編集部１２２は判定する。確定送信ボタン８４１が押下されたと判断した場合（Ｙｅｓの場合）、Ｓ１６０２へ進む。確定送信ボタン８４１が押下されていないと判断した場合（Ｎｏの場合）、Ｓ１６０１へ戻る。
【００７０】
（Ｓ１６０２）編集部１２２は、サイネージコンテンツ表示領域８１０で更新された内容を一時保存する。
【００７１】
（Ｓ１６０３）編集部１２２は、更新内容を通信部１２５へ通知する。通信部１２５は、サーバ１３０の通信部１３１へ更新内容を送信する。
【００７２】
通信部１２５は、サーバ１３０の通信部１３１から、更新されたサイネージコンテンツ２００を受信し、生成部１２４へ通知する。生成部１２４は、更新されたサイネージコンテンツ２００の制御画面８００を生成し、生成した制御画面８００を表示部１２１へ通知する。表示部１２１は、更新された制御画面８００を表示する。
【００７３】
図１７は、実施の形態１におけるサーバ１３０のサイネージコンテンツを更新するフローチャートである。
【００７４】
（Ｓ１７０１）入力装置１２０の通信部１２５からサイネージコンテンツの更新内容がサーバ１３０の通信部１３１に送信されると、サーバ１３０の通信部１３１は、更新部１３３へ更新内容を通知する。更新部１３３は、記憶部１３２に記憶された該当するサイネージコンテンツを更新内容に基づいて更新する。
【００７５】
（Ｓ１７０２）記憶部１３２は、更新されたサイネージコンテンツを通信部１３１へ通知する。通信部１３１は、更新されたサイネージコンテンツを入力装置１２０の通信部１２５へ送信する。
【００７６】
更新部１３３は、サイネージコンテンツの更新に失敗した場合、更新を中断し、更新できなかった旨を、通信部１３１を介して入力装置１２０の通信部１２５へ送信する。
【００７７】
［１―５．サイネージコンテンツ（２）］
次にサイネージコンテンツの別の一例について詳細に説明する。図１８は、実施の形態１におけるサイネージコンテンツの別の一例を示す図である。図１８に示すように、サイネージコンテンツ１８００は宝飾店向けのサイネージコンテンツであり、背景として星やクリスマスツリーがデザインされる。左上には「☆歳末セール☆」の表示がある。中央に、宝飾品の画像と商品名と価格の組が４組表示されている。サイネージコンテンツ１８００は、予め用意されたテンプレートに基づいて生成されている。サイネージコンテンツ１８００は、図２で説明したサイネージコンテンツ２００と表示されている内容は同じであるが、テンプレートが異なる。
【００７８】
図１９は、実施の形態１におけるテンプレートの別の一例を示す図である。図１９において、テンプレート１９００は、構成要素として、背景１９０１、タイトル１９０２、画像１９０３、テキスト１９０４を含んでいる。各構成要素は、表示装置１１０に表示する時の表示領域やデータ形式等を定義している。背景１９０１には、背景のデザインを配置できる。タイトル１９０２には、「歳末セール」や「本日のおススメ」等のサイネージのタイトル及びタイトルのデザインを配置できる。画像１９０３には商品の画像データを配置できる。テキスト１９０４には、商品名や価格を配置できる。図１９のテンプレート１９００は、図３のテンプレート３００と比較すると、画像３０３が４つに対して、画像１９０３が５つであり、テキスト３０４が４つに対してテキスト１９０４が８つである点が相違点である。
【００７９】
サイネージコンテンツ１８００は、サイネージコンテンツ１８００に含まれる構成要素がグループ化されている。図２０は、図１８のサイネージコンテンツ１８００における構成要素のグループ化を説明する図である。図２０に示すように、図１９のテンプレート１９００における画像１９０３とテキスト１９０４をそれぞれ商品単位でグルーピングしている。具体的には、サイネージコンテンツ１８００は、グループ１８０１、１８０２、１８０３、１８０４を含んでいる。グループ１８０１は、画像１８０１ａとテキスト１８０１ｃ、１８０１ｄを含み、グループ番号（ｇｒｏｕｐｎｏ）は１である。グループ１８０２は、画像１８０２ａとテキスト１８０２ｃ、１８０２ｄを含み、グループ番号は２である。グループ１８０３は、画像１８０３ａとテキスト１８０３ｃ、１８０３ｄを含み、グループ番号は３である。グループ１８０４は、画像１８０４ａ、１８０４ｂとテキスト１８０４ｃ、１８０４ｄを含み、グループ番号は４である。グループ１８０１、１８０２、１８０３、１８０４は、サイネージコンテンツ１８００の内容を更新する単位である。例えば、グループ１８０２の商品を変更したい場合、画像１８０２ａとテキスト１８０２ｃ、１８０２ｄをまとめて更新するようにグルーピングしている。
【００８０】
図２１は、実施の形態１における入力装置１２０の表示部１２１に表示される図１８のサイネージコンテンツ１８００に対する制御画面の一例を示す図である。図２１において、制御画面２１００は、サイネージコンテンツ表示領域２１１０とテキスト更新領域２１２０と画像更新領域２１３０と更新実行領域２１４０で構成されている。
【００８１】
サイネージコンテンツ表示領域２１１０は、更新するサイネージコンテンツが表示されており、図２１では、図２０のサイネージコンテンツ１８００が表示されている。サイネージコンテンツ表示領域２１１０において、サイネージコンテンツ１８００のうち背景の表示を省略して説明する。サイネージコンテンツ表示領域２１１０は、サイネージコンテンツ１８００で定義されているグループ毎に矩形で破線の枠が表示される。具体的には、グループ番号１に対応するグループ枠２１１１、グループ番号２に対応するグループ枠２１１２、グループ番号３に対応するグループ枠２１１３、グループ番号４に対応するグループ枠２１１４が表示される。グループ枠２１１１、２１１２、２１１３、２１１４のうちのいずれかを選択すると、選択したグループ枠に含まれるテキストと画像の編集を行うことができる。テキストの編集はテキスト更新領域２１２０で行い、画像の編集は画像更新領域２１３０で行う。
【００８２】
テキスト更新領域２１２０は、サイネージコンテンツ１８００のテキスト１８０１ｃ、１８０１ｄ、１８０２ｃ、１８０２ｄ、１８０３ｃ、１８０３ｄ、１８０４ｃ、１８０４ｄの内容を変更するための領域である。テキスト更新領域２１２０は、テキスト編集ボックス２１２１とプレビューボタン２１２２と次へボタン２１２３を含んでいる。テキスト編集ボックス２１２１は、入力者が変更したいテキストの変更内容を入力するためのウィジェットである。プレビューボタン２１２２は、テキスト編集ボックス２１２１で入力した内容をサイネージコンテンツ表示領域２１１０で確認するためのボタンのウィジェットである。次へボタン２１２３は、例えば、グループ枠２１１４にテキスト１８０４ｃとテキスト１８０４ｄが含まれており、テキスト１８０４ｃとテキスト１８０４ｄを個別に編集するため、テキスト編集ボックス２１２１で編集するテキストを切り替えるためのボタンである。次へボタン２１２３はトグル構造になっており、次へボタン２１２３を押すことでテキスト１８０４ｃの編集とテキスト１８０４ｄの編集が交互に行える構造となっている。
【００８３】
画像更新領域２１３０は、サイネージコンテンツ１８００の画像１８０１ａ、１８０２ａ、１８０３ａ、１８０４ａ、１８０４ｂの内容を更新するための領域である。画像更新領域２１３０は、画像表示欄２１３１とファイル選択ボタン２１３２とテキストボックス２１３３とプレビューボタン２１３４と次へボタン２１３５を含んでいる。ファイル選択ボタン２１３２は、ボタンを押すことでファイルの選択を行うためのウィジェットであり、クリックするとファイル選択ダイアログが表示され、ダイアログから任意のファイルを選択すると、テキストボックス２１３３に選択したファイル名が表示される。テキストボックス２１３３は、表示させたい画像のデータが保存されている場所を文字入力するか、ファイル選択ボタン２１３２をクリックすることで表示させたい画像のデータが保存されている場所を選択する。画像表示欄２１３１には、テキストボックス２１３３に表示されている画像が表示される。プレビューボタン２１３４は、テキストボックス２１３３に表示されている画像をサイネージコンテンツ表示領域２１１０で確認するためのボタンのウィジェットである。次へボタン２１３５は、例えば、グループ枠２１１４に画像１８０４ａと画像１８０４ｂが含まれており、画像１８０４ａと画像１８０４ｂを個別に編集するため、画像表示欄２１３１とテキストボックス２１３３で編集する画像を切り替えるためのボタンである。次へボタン２１３５はトグル構造になっており、次へボタン２１３５を押すことで画像１８０４ａの編集と画像１８０４ｂの編集が交互に行える構造となっている。
【００８４】
更新実行領域２１４０は、テキスト更新領域２１２０と画像更新領域２１３０で更新した内容をサーバ１３０へ送信し、サーバ１３０の記憶部１３２に記憶されているサイネージコンテンツ１８００を更新するための領域である。更新実行領域２１４０は、確定送信ボタン２１４１と戻るボタン２１４２を含む。確定送信ボタン２１４１は、ボタンを押すことで、テキスト更新領域２１２０と画像更新領域２１３０で更新した内容を通信部１２５へ通知する。戻るボタン２１４２は、ボタンを押すことで、制御画面２１００へ遷移する前のアプリケーション画面に戻る。
【００８５】
図２２は、図２１の制御画面２１００のサイネージコンテンツ表示領域２１１０において、グループ枠２１１４内を押下した場合の制御画面２１００を示す図である。図２１において、サイネージコンテンツ表示領域２１１０において、グループ枠２１１４内を押下すると、グループ枠２１１４の表示が破線から実線に変化し、黒色から赤色に変化する。さらに、画像１８０４ａとテキスト１８０４ｃの表示の枠線も破線から実線に変化し、黒色から赤色に変化する。そして、テキスト更新領域２１２０のテキスト編集ボックス２１２１には、テキスト１８０４ｃの「イヤリング」、が表示され、画像更新領域２１３０の画像表示欄２１３１には、画像１８０４ａの画像が表示され、テキストボックス２１３３には、画像１８０４ａが一時的に記憶される場所「・・・／ｃｈａｉｎ１．ｊｐｇ」が表示される。
【００８６】
図２３は、図２２の制御画面２１００のテキスト更新領域２１２０の次へボタン２１２３と画像更新領域２１３０の次へボタン２１３５を押下した時の制御画面２１００を示す図である。サイネージコンテンツ表示領域２１１０の画像１８０４ａとテキスト１８０４ｃの表示の枠線は実線から破線に変化し、赤色から黒色に変化し、画像１８０４ｂとテキスト１８０４ｄの表示の枠線は破線から実線に変化し、黒色から赤色に変化する。さらに、テキスト更新領域２１２０のテキスト編集ボックス２１２１には、テキスト１８０４ｄの「￥５０００」、が表示される。画像更新領域２１３０の画像表示欄２１３１には、画像１８０４ｂの画像が表示される。テキストボックス２１３３には、画像１８０４ｂが一時的に記憶される場所「・・・／ｃｈａｉｎ２．ｊｐｇ」が表示される。
【００８７】
［１―６．サイネージコンテンツ（３）］
次に、入力装置１２０の表示部１２１で制御画面を表示する際に、複数のグループ枠が重なって表示される場合のグループ枠の選択について説明する。図２４Ａは、サイネージコンテンツにおける複数のグループ枠の一例を示す図であり、図２４Ｂは、図２４Ａの複数のグループ枠の制御画面上の位置の一例を示す図であり、図２４Ｃは、図２４Ｂの複数のグループ枠の重なり箇所におけるグループ枠の選択を説明する図である。図２４Ａにおいて、３つのグループ枠が存在し、それぞれ、グループ枠２４ａ、２４ｂ、２４ｃとする。グループ枠のサイズは、グループ枠２４ａ＜グループ枠２４ｂ＜グループ枠２４ｃの関係にある。図２４Ｂのように、グループ枠２４ａ、２４ｂ、２４ｃが重なりあう場合のグループ枠の選択について説明する。
【００８８】
図２４Ｃにおいて、グループ枠２４ａ、２４ｂ、２４ｃの全てが重なる領域Ａが押下された場合、グループ枠２４ａが選択され、グループ枠２４ａ、２４ｂが重なる領域Ｂが押下された場合、グループ枠２４ａが選択され、グループ枠２４ｂ、２４ｃが重なる領域Ｃが押下された場合、グループ枠２４ｂが選択され、グループ枠２４ａ、２４ｃが重なる領域Ｄが押下された場合、グループ枠２４ａが選択される。すなわち、重なる領域において、グループ枠の配置順をグループ枠のサイズの小さい順から上位になるよう配置する。
【００８９】
図２５Ａは、サイネージコンテンツにおける複数のグループ枠の別の一例を示す図であり、図２５Ｂは、図２５Ａの複数のグループ枠の制御画面上の位置の一例を示す図であり、図２５Ｃは、図２５Ｂのグループ枠の重なり箇所におけるグループ枠の選択を説明する図である。図２５Ａにおいて、３つのグループ枠が存在し、それぞれ、グループ枠２５ａ、２５ｂ、２５ｃとする。グループ枠のサイズは、グループ枠２５ａ＜グループ枠２５ｂ＜グループ枠２５ｃの関係にある。図２５Ｂのように、グループ枠２５ａ、２５ｂ、２５ｃが重なりあう場合のグループ枠の選択について説明する。
【００９０】
図２５Ｃにおいて、グループ枠２５ａ、２５ｂ、２５ｃの全てが重なる領域Ａが押下された場合、グループ枠２５ａが選択され、グループ枠２５ｂ、２５ｃが重なる領域Ｃが押下された場合、グループ枠２５ｃが選択され、グループ枠２５ａ、２５ｃが重なる領域Ｄが押下された場合、グループ枠２５ａが選択される。
【００９１】
グループ枠の重ならない領域のサイズを比較する。すなわち、グループ枠２５ａの領域α、グループ枠２５ｂ領域β、グループ枠２５ｃの領域γのサイズを比較する。サイズは、領域α＜領域γ＜領域βとなる。グループ枠の配置順をグループ枠の重ならない領域のサイズの小さい順から上位になるようになるよう配置する。
【００９２】
重なり合う複数のグループ枠のサイズが近い場合や、重なり合うサイズの割合がグループの枠のサイズに対して大きい場合に効果があり有用である。
【００９３】
［１―７．サイネージコンテンツ（４）］
次にサイネージコンテンツのさらに別の一例について詳細に説明する。図２６は、実施の形態１におけるサイネージコンテンツのさらに別の一例を示す図である。図２６において、サイネージコンテンツ２６００はパン製造メーカのパンのレシピを紹介するサイネージコンテンツであり、画像が順次表示されるスライドショーの形式である。サイネージコンテンツ２６００は、スライドショー２６００ａ、２６００ｂ、２６００ｃで構成されている。上部には「おつまみレシピ「パンコントマテ」」の表示があり、手順番号の画像と手順番号に対応する画像と手順番号に対応する説明のテキストの組が２組表示されるように構成されている。サイネージコンテンツ２６００は、予め用意されたテンプレートに基づいて生成されている。
【００９４】
図２７は、実施の形態１におけるテンプレートのさらに別の一例を示す図である。図２７において、テンプレート２７００は、構成要素として、タイトル２７０２、画像２７０３、テキスト２７０４を含んでいる。各構成要素は、表示装置１１０に表示する時の表示領域やデータ形式等を定義している。タイトル２７０２には、「おすすめレシピ♪」や「本日のパンレシピ」等のサイネージのタイトル及びタイトルのデザインを配置できる。画像２７０３には手順の番号や手順の番号に対応する画像データを配置できる。テキスト２７０４には、レシピの手順を説明するテキストを配置できる。
【００９５】
パン製造メーカのパンのレシピを紹介するサイネージコンテンツ２６００は、サイネージコンテンツ２６００に含まれる構成要素をグループ化している。図２８は、図２６のサイネージコンテンツ２６００のグループを説明する図である。図２８において、図２７のテンプレート２７００における画像２７０３とテキスト２７０４をそれぞれ手順ごとにグルーピングしている。具体的には、サイネージコンテンツ２６００は、グループ２８０１、２８０２を含んでいる。グループ２８０１は、画像２８０１ａ、２８０１ｂとテキスト２８０１ｃを含み、グループ番号（ｇｒｏｕｐｎｏ）は１である。グループ２８０２は、画像２８０２ａ、２８０２ｂとテキスト２８０２ｃを含み、グループ番号は２である。グループ２８０１と２８０２は、サイネージコンテンツ２６００の内容を更新する単位である。例えば、グループ２８０１の内容を変更したい場合、画像２８０１ａ、２８０１ｂとテキスト２８０１ｃをまとめて更新するようにグルーピングしている。
【００９６】
図２９は、実施の形態１における入力装置１２０の表示部１２１に表示される図２６のサイネージコンテンツ２６００に対する制御画面の一例を示す図である。サイネージコンテンツ２６００を更新するための制御画面２９００を示している。図２９において、制御画面２９００は、サイネージコンテンツ表示領域２９１０とテキスト更新領域２９２０と画像更新領域２９３０と更新実行領域２９４０と再生制御領域２９５０で構成されている。
【００９７】
サイネージコンテンツ表示領域２９１０は、更新するサイネージコンテンツが表示されており、図２９では、図２６のサイネージコンテンツ２６００のスライドショー２６００ａが表示されている。テキスト更新領域２９２０、画像更新領域２９３０の説明は後述する。再生制御領域２９５０は、サイネージコンテンツ２６００のスライドショーの表示を行う。再生制御領域２９５０は、再生開始ボタン２９５１、早送再生ボタン２９５２、一時停止ボタン２９５３、再生再開ボタン２９５４を含む。再生開始ボタン２９５１は、サイネージコンテンツ２６００のスライドショー表示を開始するためのボタンである。早送再生ボタン２９５２は、サイネージコンテンツ２６００のスライドショー表示を早送りで開始するためのボタンである。一時停止ボタン２９５３は、サイネージコンテンツ２６００のスライドショー表示を一時停止するためのボタンである。再生再開ボタン２９５４は、一時停止していたサイネージコンテンツ２６００のスライドショー表示の再生を再開するためのボタンである。図２９において、再生開始ボタン２９５１を押下する。再生開始ボタン２９５１が押下されると、サイネージコンテンツ表示領域２９１０のサイネージコンテンツ２６００のスライドショー表示が開始する。
【００９８】
図３０は、図２９の制御画面２９００のサイネージコンテンツ表示領域２９１０の再生を開始後、一時停止する場合の制御画面２９００を示す図である。図２９において、再生開始ボタン２９５１が押下され、図３０では、サイネージコンテンツ表示領域２９１０は、図２６のサイネージコンテンツ２６００のスライドショー２６００ｂが表示されている。図３０において、一時停止ボタン２９５３を押下する。一時停止ボタン２９５３が押下されると、サイネージコンテンツ表示領域２９１０のサイネージコンテンツ２６００のスライドショー表示が停止される。サイネージコンテンツ表示領域２９１０のサイネージコンテンツ２６００のスライドショー２６００ｂでは、定義されているグループ毎に矩形で破線の枠が表示される。具体的には、グループ番号１に対応するグループ枠２９１１が表示される。グループ枠２９１１を選択すると、選択したグループ枠に対応するグループに属するテキストと画像の編集を行うことができる。テキストの編集はテキスト更新領域２９２０で行い、画像の編集は画像更新領域２９３０で行う。
【００９９】
テキスト更新領域２９２０は、サイネージコンテンツ２６００のスライドショー２６００ｂのテキスト２８０１ｃの内容を変更するための領域である。テキスト更新領域２９２０は、テキスト編集ボックス２９２１とプレビューボタン２９２２とを含んでいる。テキスト編集ボックス２９２１は、入力者が変更したいテキストの変更内容を入力するためのウィジェットである。プレビューボタン２９２２は、テキスト編集ボックス２９２１で入力した内容をサイネージコンテンツ表示領域２９１０で確認するためのボタンのウィジェットである。
【０１００】
画像更新領域２９３０は、サイネージコンテンツ２６００のスライドショー２６００ｂの画像２８０１ａ、２８０１ｂの内容を更新するための領域である。画像更新領域２９３０は、画像表示欄２９３１とファイル選択ボタン２９３２とテキストボックス２９３３とプレビューボタン２９３４と次へボタン２９３５を含んでいる。ファイル選択ボタン２９３２は、ボタンを押すことでファイルの選択を行うためのウィジェットであり、クリックするとファイル選択ダイアログが表示され、ダイアログから任意のファイルを選択すると、テキストボックス２９３３に選択したファイル名が表示される。テキストボックス２９３３は、表示させたい画像のデータが保存されている場所を文字入力するか、ファイル選択ボタン２９３２をクリックすることで表示させたい画像のデータが保存されている場所を選択する。画像表示欄２９３１には、テキストボックス２９３３に表示されている画像が表示される。プレビューボタン２９３４は、テキストボックス２９３３に表示されている画像をサイネージコンテンツ表示領域２９１０で確認するためのボタンのウィジェットである。次へボタン２９３５は、例えば、グループ枠２９１１に画像２８０１ａと画像２８０１ｂが含まれており、画像２８０１ａと画像２８０１ｂを個別に編集するため、画像表示欄２９３１とテキストボックス２９３３で編集する画像を切り替えるためのボタンである。次へボタン２９３５はトグル構造になっており、次へボタン２９３５を押すことで画像２８０１ａの編集と画像２８０１ｂの編集が交互に行える構造となっている。
【０１０１】
更新実行領域２９４０は、テキスト更新領域２９２０と画像更新領域２９３０で更新した内容をサーバ１３０へ送信し、サーバ１３０の記憶部１３２に記憶されているサイネージコンテンツ２６００を更新するための領域である。更新実行領域２９４０は、確定送信ボタン２９４１と戻るボタン２９４２を含む。確定送信ボタン２９４１は、ボタンを押すことで、テキスト更新領域２９２０と画像更新領域２９３０で更新した内容を通信部１２５へ通知する。戻るボタン２９４２は、ボタンを押すことで、制御画面２９００へ遷移する前のアプリケーション画面に戻る。
【０１０２】
図３１は、図３０の制御画面２９００のサイネージコンテンツ表示領域２９１０において、グループ枠内を押下した場合の制御画面２９００を示す図である。図３１では、サイネージコンテンツ表示領域２９１０は、図２６のサイネージコンテンツ２６００のスライドショー２６００ｂが表示されている。図３１のサイネージコンテンツ表示領域２９１０において、グループ枠２９１１内を押下すると、グループ枠２９１１の表示が破線から実線に変化し、黒色から赤色に変化する。さらに、画像２８０１ａとテキスト２８０１ｃの表示の枠線も破線から実線に変化し、黒色から赤色に変化する。テキスト更新領域２９２０と画像更新領域２９３０で内容を更新できる。更新内容として、テキスト更新領域２９２０のテキスト編集ボックス２９２１には、テキスト２８０１ｃの更新内容「バケットをスライスしてください」、が入力され、プレビューボタン２９２２が押下され、サイネージコンテンツ表示領域２９１０のテキスト２８０１ｃの更新内容が確認できる。画像更新領域２９３０の画像表示欄２９３１には、画像２８０１ａの画像が表示される。テキストボックス２９３３には、画像２８０１ａが一時的に記憶される場所「・・・／ｐａｎ＿ｃｏｎ＿ｔｏｍａｔｅ．ｊｐｇ」が表示される。図３１において、再生再開ボタン２９５４が押下されると、サイネージコンテンツ２６００のスライドショー表示が再開される。
【０１０３】
図３２は、図３１の制御画面２９００のサイネージコンテンツ表示領域２９１０の再生再開後、サイネージコンテンツ２６００を更新する場合の制御画面２９００を示す図である。図３２では、サイネージコンテンツ表示領域２９１０に、図２６のサイネージコンテンツ２６００のスライドショー２６００ｃが表示されている。すなわち、サイネージコンテンツ表示領域２９１０に新たに、グループ枠２９１２が表示されている。サイネージコンテンツ２６００の更新が終了すると、確定送信ボタン２９４１を押下する。
【０１０４】
［１―８．効果］
以上のように、本実施の形態のサイネージシステムによれば、サイネージコンテンツの表示内容に合わせて制御画面を入力者に提示することができ、サイネージコンテンツを、商品内容などのグループにまとめて更新することができる。
【０１０５】
（実施の形態２）
次に、実施の形態２におけるサイネージシステムについて説明する。本実施の形態では、主に実施の形態１との相違点について説明し、重複する部分は省略する。本実施の形態のサイネージシステムは、識別情報に基づいて、制御画面を切替えて表示するものである。図１８で説明したサイネージコンテンツ１８００を用いて説明する。
【０１０６】
［２―１．サイネージシステムの構成］
図３３は、実施の形態２におけるサイネージシステム３３００の詳細なブロック図である。サイネージシステム３３００は、サイネージコンテンツを表示する表示装置１１０と、サイネージコンテンツの更新内容を入力する入力装置３３２０と、サイネージコンテンツを管理するサーバ３３３０で構成される。表示装置１１０とサーバ３３３０、入力装置３３２０とサーバ３３３０は、それぞれネットワークを介して接続されている。表示装置１１０とサーバ３３３０の通信及び入力装置３３２０とサーバ３３３０の通信は、セキュアな通信方式を採用することにより、成りすまし等を防ぐようにしてもよい。さらに、入力装置３３２０とサーバ３３３０の通信は、識別情報として、入力者を識別するユーザＩＤや入力装置３３２０を識別する端末ＩＤを用いる。端末ＩＤとしては、例えば、ＩＰアドレスやＭＡＣアドレス、装置固有の識別情報等である。本実施の形態においては、ユーザＩＤを用いて説明を行う。
【０１０７】
入力装置３３２０は、表示部１２１と編集部１２２と入力部３３２３と生成部１２４と通信部３３２５を含む。サーバ３３３０は、通信部３３３１と記憶部３３３２と更新部１３３と選択部１３４を含む。
【０１０８】
サーバ３３３０の記憶部３３３２には、ユーザＩＤとサイネージコンテンツが対応づけられて記憶されており、ユーザＩＤごとにサイネージコンテンツにおける更新可能な箇所を切替えられるように紐付されている。例えば、ユーザＩＤごとにサイネージコンテンツの更新可能なグループ番号や更新可能なテキストを紐付する。
【０１０９】
入力装置３３２０とサーバ３３３０において、通信を開始する時には、ユーザＩＤを用いる。入力装置３３２０の入力部３３２３からユーザＩＤを入力し、通信部３３２５へ通知する。通信部３３２５は、サーバ３３３０の通信部３３３１へユーザＩＤを送信する。ユーザＩＤを受信した通信部３３３１は、記憶部３３３２へ、ユーザＩＤを記憶する。
【０１１０】
入力装置３３２０において、入力部３３２３からサイネージコンテンツの更新要求を入力し、通信部１２５に通知する。更新要求を受けた通信部３３２５は、サーバ３３３０の通信部３３３１へ更新要求を送信する。通信部３３２５は、サーバ３３３０の通信部３３３１から更新要求したサイネージコンテンツを受信すると、生成部１２４へサイネージコンテンツを通知する。ここでサーバ３３３０の通信部３３３１から受信したサイネージコンテンツは、入力者のユーザＩＤに対応したサイネージコンテンツが送信されている。すなわち、ユーザＩＤによって、送信されるサイネージコンテンツは、更新できる箇所が異なっている。
【０１１１】
サーバ３３３０において、記憶部３３３２にはユーザＩＤと対応づけてサイネージコンテンツが記憶されている。通信部３３３１は、入力装置３３２０の通信部３３２５から更新要求を受信すると、更新要求を選択部１３４へ通知する。選択部１３４は、記憶部３３３２から入力装置３３２０と通信開始時に記憶したユーザＩＤに対応づけられたサイネージコンテンツを取り出し、該当するサイネージコンテンツを通信部３３３１へ通知する。通信部３３３１は、入力装置３３２０の通信部３３２５へ取り出したサイネージコンテンツを送信する。
【０１１２】
[２−２．制御画面]
次に、図１８で説明したサイネージコンテンツ１８００の制御画面について説明する。本実施の形態では、同じサイネージコンテンツであっても、ユーザＩＤ毎に更新可能な項目が異なっている。図３４は、本実施の形態における制御画面の一例である。図３４において、制御画面３４００は、サイネージコンテンツ表示領域３４１０とテキスト更新領域３４２０と画像更新領域２１３０と更新実行領域２１４０で構成されている。
【０１１３】
サイネージコンテンツ表示領域３４１０は、更新するサイネージコンテンツが表示されており、図３４では、図１８のサイネージコンテンツ１８００が表示されている。サイネージコンテンツ表示領域３４１０において、サイネージコンテンツ１８００のうち背景の表示を省略して説明する。サイネージコンテンツ表示領域３４１０は、グループ番号１に対応するグループ枠３４１１、グループ番号２に対応するグループ枠３４１２、グループ番号３に対応するグループ枠３４１３、グループ番号４に対応するグループ枠３４１４が表示される。グループ枠３４１１、３４１２、３４１３、３４１４のうちのいずれかを選択すると、選択したグループ枠に含まれるテキストと画像の編集を行うことができる。テキストの編集はテキスト更新領域３４２０で行い、画像の編集は画像更新領域２１３０で行う。
【０１１４】
テキスト更新領域３４２０は、サイネージコンテンツ１８００のテキスト１８０１ｃ、１８０２ｃ、１８０３ｃ、１８０４ｃの内容を変更するための領域である。テキスト更新領域３４２０は、テキスト編集ボックス３４２１とプレビューボタン３４２２を含んでいる。テキスト編集ボックス３４２１は、入力者が変更したいテキストの変更内容を入力するためのウィジェットである。プレビューボタン３４２２は、テキスト編集ボックス３４２１で入力した内容をサイネージコンテンツ表示領域３４１０で確認するためのボタンのウィジェットである。
【０１１５】
図３４の制御画面３４００が図２１の制御画面２１００と異なる点は、サイネージコンテンツ１８００のグループ枠３４１１、３４１２、３４１３、３４１４にテキスト１８０１ｄ、１８０２ｄ、１８０３ｄ、１８０４ｄが含まれておらず、更新できない点である。
【０１１６】
サーバ３３３０の記憶部３３３２において、ユーザＩＤ「ＵＳＥＲ１」に対して、サイネージコンテンツ１８００はグループに含まれる画像やテキストが全て更新できるように紐付され、ユーザＩＤ「ＵＳＥＲ２」に対して、サイネージコンテンツ１８００はグループに含まれる画像やテキストのうち、テキスト１８０１ｄ、１８０２ｄ、１８０３ｄ、１８０４ｄが更新でできないように紐付されているとする。ユーザＩＤ「ＵＳＥＲ１」が、サイネージコンテンツ１８００の更新要求を行った場合、実施の形態１の図２１で説明した制御画面２１００が表示される。ユーザＩＤ「ＵＳＥＲ２」がサイネージコンテンツ１８００の更新要求を行った場合、図３４の制御画面３４００が表示される。
【０１１７】
このように、ユーザＩＤや端末ＩＤ等を識別することにより、入力装置３３２０を操作する入力者を識別し、更新可能な構成要素を設定できる。これにより、更新権限を個別に詳細に設定できる。
【０１１８】
さらに、図１８で説明したサイネージコンテンツ１８００の別の制御画面について説明する。本実施の形態では、同じサイネージコンテンツであっても、ユーザＩＤ毎に更新可能な項目として、更新可能なグループが異なる場合について説明する。
【０１１９】
図３５は、本実施の形態における制御画面の別の一例である。図３５において、制御画面３５００は、サイネージコンテンツ表示領域３５１０とテキスト更新領域２１２０と画像更新領域２１３０と更新実行領域２１４０で構成されている。
【０１２０】
サイネージコンテンツ表示領域３５１０は、更新するサイネージコンテンツが表示されており、図３５では、図１８のサイネージコンテンツ１８００が表示されている。サイネージコンテンツ表示領域３５１０において、サイネージコンテンツ１８００のうち背景の表示を省略して説明する。サイネージコンテンツ表示領域３５１０は、グループ番号４に対応するグループ枠３５１４のみが表示される。グループ枠３５１４を選択すると、選択したグループ枠に含まれるテキストと画像の編集を行うことができる。テキストの編集はテキスト更新領域２１２０で行い、画像の編集は画像更新領域２１３０で行う。
【０１２１】
図３５の制御画面３５００が図２１の制御画面２１００と異なる点は、サイネージコンテンツ１８００のグループ枠３５１４の一つだけが更新可能な点である。
【０１２２】
サーバ３３３０の記憶部３３３２において、ユーザＩＤ「ＵＳＥＲ３」に対して、サイネージコンテンツ１８００の更新可能なグループが紐付されているとする。ユーザＩＤ「ＵＳＥＲ３」が、サイネージコンテンツ１８００の更新要求を行った場合、図３５の制御画面３５００が表示される。
【０１２３】
このように、ユーザＩＤや端末ＩＤ等を識別することにより、入力装置３３２０を操作する入力者を識別し、更新可能な構成要素を設定できる。これにより、更新権限をユーザＩＤ、端末ＩＤ別に設定でき、同一店舗内でも更新権限を設定でき、店舗別においても更新権限を設定できる。
【０１２４】
なお、本実施の形態において、サーバ３３３０から送信されるサイネージコンテンツ１８００をユーザＩＤによって変更して送信するものとして説明したが、これに限らない。例えば、サーバ３３３０から送信されるサイネージコンテンツ１８００は同じコンテンツを送信し、コンテンツの送信と同時にユーザＩＤが更新できる構成要素をリストにして送信し、入力装置３３２０の生成部１２４で生成する制御画面を切り替えるようにしてもよい。
【０１２５】
［２―３．効果］
以上のように、本実施の形態のサイネージシステムによれば、サイネージコンテンツの表示内容に合わせて更新用の制御画面を提示することができ、サイネージコンテンツを、商品内容などのグループにまとめて更新することができる。
【０１２６】
更に、同一のサイネージコンテンツの更新について、ユーザ・端末毎に更新権限を容易に変更できる。
【０１２７】
（他の実施の形態）
以上のように、本開示において、実施の形態１、２を説明した。しかしながら、本開示は、これに限定されず、変更、置き換え、付加、省略などを行った実施の形態にも適用できる。また、上記実施の形態１、２で説明した各構成要素を組み合わせて、新たな実施の形態とすることも可能である。
【０１２８】
そこで、以下、他の実施の形態を例示する。
【０１２９】
（１）上述の実施の形態では、入力装置で制御画面を生成したが、サーバで制御画面の生成をしてもよい。
【０１３０】
（２）上述の実施の形態では、サイネージコンテンツの構成要素としてとして、画像、テキストを用いて説明したが、これに限定されるものではない。例えば、音声、音楽および動画といった構成要素を用いてもよい。
【０１３１】
（３）上述の実施の形態において、タグ属性の記述として「ｇｒｏｕｐｎｏ」、「ｅｄｉｔａｂｌｅｉｍａｇｅ」あるいは「ｅｄｉｔａｂｌｅｔｅｘｔ」を用いて説明した。しかし、これに限られない。サイネージコンテンツの構成要素として動画を用いた場合、ｖｉｄｅｏタグ要素に追加記載すべき属性「ｇｒｏｕｐｎｏ」、「ｅｄｉｔａｂｌｅｖｉｄｅｏ」を用いもよい。また、「ｅｄｉｔａｂｌｅｉｍａｇｅ」、「ｅｄｉｔａｂｌｅｔｅｘｔ」、「ｅｄｉｔａｂｌｅｖｉｄｅｏ」の属性を用いずに、タグ種別名のｉｍｇ、ｔｅｘｔ、ｖｉｄｅｏと、ｇｒｏｕｐｎｏから、制御画面を生成する構成としてもよい。
【０１３２】
（４）上述の実施の形態では、ユーザＩＤまたは端末ＩＤを用いて識別するとして説明したが、ユーザＩＤと端末ＩＤの両方を用いて識別してもよい。
【０１３３】
（５）上述の実施の形態では、構成要素のグループ化をサイネージコンテンツで行うものとして説明したが、これに限られない。例えば、テンプレート上でグループ化してもよい。
【産業上の利用可能性】
【０１３４】
本開示のサイネージシステムは、データ編集、および、データ更新機能を有する機器に広く適用することができる。
【符号の説明】
【０１３５】
１００，３３００    サイネージシステム
１１０    表示装置
１２０，３３２０    入力装置
１３０，３３３０    サーバ
１１１，１２１    表示部
１１２，１２３，３３２３    入力部
１１３，１２５，１３１，３３２５，３３３１    通信部
１２２    編集部
１２４    生成部
１３２，３３３２    記憶部
１３３    更新部
１３４    選択部
２００，２１０，２２０，１８００，２６００    サイネージコンテンツ
２０１，２０２，２０３，２０４，１８０１，１８０２，１８０３，１８０４，２８０１，２８０２    グループ
２０１ａ，２０２ａ，２０３ａ，２０４ａ，１８０１ａ，１８０２ａ，１８０３ａ，１８０４ａ，１８０４ｂ，２８０１ａ，２８０１ｂ，２８０２ａ，２８０２ｂ    画像
２０１ｂ，２０２ｂ，２０３ｂ，２０４ｂ，１８０１ｃ，１８０１ｄ，１８０２ｃ，１８０２ｄ，１８０３ｃ，１８０３ｄ，１８０４ｃ，１８０４ｄ，２８０１ｃ，２８０２ｃ    テキスト
３００，１９００，２７００    テンプレート
３０１，１９０１    背景
３０２，１９０２，２７０２    タイトル
３０３，１９０３，２７０３    画像
３０４，１９０４，２７０４    テキスト
６００    ファイル
８００，２１００，２９００，３４００，３５００    制御画面
８１０，２１１０，２９１０，３４１０，３５１０    サイネージコンテンツ表示領域
２４ａ，２４ｂ，２４ｃ，２５ａ，２５ｂ，２５ｃ，８１１，８１２，８１３，８１４，２１１１，２１１２，２１１３，２１１４，２９１１，２９１２，３４１１，３４１２，３４１３，３４１４，３５１４    グループ枠
８２０，２１２０，２９２０，３４２０    テキスト更新領域
８２１，２１２１，２９２１，３４２１    テキスト編集ボックス
８２２，８３４，２１２２，２１３４，２９２２，２９３４，３４２２    プレビューボタン
８３０，２１３０，２９３０    画像更新領域
８３１，２１３１，２９３１    画像表示欄
８３２，２１３２，２９３２    ファイル選択ボタン
８３３，２１３３，２９３３    テキストボックス
８４０，２１４０，２９４０    更新実行領域
８４１，２１４１，２９４１    確定送信ボタン
８４２，２１４２，２９４２    戻るボタン
２１２３，２１３５，２９３５    次へボタン
２６００ａ，２６００ｂ，２６００ｃ    スライドショー
２９５０    再生制御領域
２９５１    再生開始ボタン
２９５２    早送再生ボタン
２９５３    一時停止ボタン
２９５４    再生再開ボタン
【図１】
0006458253.tif 000002
【図２】
0006458253.tif 000003
【図３】
0006458253.tif 000004
【図４】
0006458253.tif 000005
【図５】
0006458253.tif 000006
【図６】
0006458253.tif 000007
【図７】
0006458253.tif 000008
【図８】
0006458253.tif 000009
【図９】
0006458253.tif 000010
【図１０】
0006458253.tif 000011
【図１１】
0006458253.tif 000012
【図１２】
0006458253.tif 000013
【図１３】
0006458253.tif 000014
【図１４】
0006458253.tif 000015
【図１５】
0006458253.tif 000016
【図１６】
0006458253.tif 000017
【図１７】
0006458253.tif 000018
【図１８】
0006458253.tif 000019
【図１９】
0006458253.tif 000020
【図２０】
0006458253.tif 000021
【図２１】
0006458253.tif 000022
【図２２】
0006458253.tif 000023
【図２３】
0006458253.tif 000024
【図２４Ａ】
0006458253.tif 000025
【図２４Ｂ】
0006458253.tif 000026
【図２４Ｃ】
0006458253.tif 000027
【図２５Ａ】
0006458253.tif 000028
【図２５Ｂ】
0006458253.tif 000029
【図２５Ｃ】
0006458253.tif 000030
【図２６】
0006458253.tif 000031
【図２７】
0006458253.tif 000032
【図２８】
0006458253.tif 000033
【図２９】
0006458253.tif 000034
【図３０】
0006458253.tif 000035
【図３１】
0006458253.tif 000036
【図３２】
0006458253.tif 000037
【図３３】
0006458253.tif 000038
【図３４】
0006458253.tif 000039
【図３５】
0006458253.tif 000040